(57)【要約】【課題】  光学式ピックアップより照射されるレーザー光によって光ディスクに記録されている信号を再生する光ディスク装置の再生制御方法を提供する。【解決手段】  光学式ピックアップ２に組み込まれているレーザーダイオード３から照射されるレーザー光にて長さの異なる複数のピットにより信号が記録されている光ディスク１から信号を再生するように構成された光ディスク装置の再生制御方法であり、光ディスク１に記録されている長さの異なるピットを再生して得られるＲＦ信号のレベルを比較することによってレーザー光の信号トラックに対するスポット形状を検出し、検出されたスポット形状に基いてＲＦ信号のイコライザ特性を設定するように構成されている。【選択図】    図１
2006099861.tif 000002
【特許請求の範囲】
【請求項１】
光学式ピックアップに組み込まれているレーザーダイオードから照射されるレーザー光にて長さの異なる複数のピットにより信号が記録されている光ディスクから信号を再生するように構成された光ディスク装置の再生制御方法であり、光ディスクに記録されている長さの異なるピットを再生して得られるＲＦ信号のレベルを比較することによってレーザー光の信号トラックに対するスポット形状を検出し、検出されたスポット形状に基いてＲＦ信号のイコライザ特性を設定するようにしたことを特徴とする光ディスク装置の再生制御方法。
【請求項２】
レベル比較動作を光ディスクに記録されている最短ピットと最長ピットを再生して得られるＲＦ信号にて行うようにしたことを特徴とする請求項１に記載の再生制御方法。
【請求項３】
ＲＦ信号のレベルを比較して得られる比較値に対応したイコライザ特性設定データが複数記憶されたイコライザ特性データメモリー回路を設け、該イコライザ特性データメモリー回路に記憶されているイコライザ特性設定データを比較値に基いて選択することによりイコライザ特性を設定するようにしたことを特徴とする請求項１に記載の再生制御方法。
【請求項４】
レベル比較動作を行うＲＦ信号をイコライザ回路の入力側より抽出するようにしたことを特徴とする請求項１に記載の再生制御方法。
【発明の詳細な説明】
【技術分野】
【０００１】
本発明は、光学式ピックアップに組み込まれているレーザーダイオードから照射されるレーザー光にて光ディスクに記録されている信号の再生動作を行う光ディスク装置の再生制御方法に関する。
【背景技術】
【０００２】
レーザーダイオードから照射されるレーザー光によって光ディスクに記録されている信号の再生動作を行う光ディスク装置が普及している。光ディスク装置としては、ＣＤと呼ばれる光ディスクを使用するものやＤＶＤと呼ばれる光ディスクを使用するものが一般的である。
【０００３】
光ディスクには長さの異なるピットにて信号が記録されており、斯かるピットの長さは、ＣＤディスクでは、３Ｔ、４Ｔ…１１Ｔと規定され、ＤＶＤディスクでは、３Ｔ、４Ｔ…１４Ｔと規定されている。
【０００４】
光ディスクに記録されている信号の再生動作は、光学式ピックアップから照射されるレーザー光によって行われるが、光検出器から得られるＲＦ信号をイコライザと呼ばれる回路によって周波数補正することによって再生された信号のデジタル化、即ち２値化動作を行うようにされている(例えば、特許文献１参照。)。
【０００５】
斯かるＲＦ信号の周波数補正動作は、光学式ピックアップより照射されるレーザー光のスポットの形状が真円やトラックの接線方向、即ちタンジェンシャル方向の径が一定であるとして設定されている。しかしながら、レーザー光のスポットの方向は、一定ではなく光学式ピックアップ毎に相違する。
【０００６】
斯かる点を改良するためにレーザー光のスポット方向を光ディスク上のトラックに対して調整する技術が開発されている(例えば、特許文献２参照。)。
【特許文献１】特開平６−３６２９１号公報
【特許文献２】特開平８−６３７７７号公報
【発明の開示】
【発明が解決しようとする課題】
【０００７】
特許文献２に記載されている技術は、光学式ピックアップの製造時に正確に調整する必要があるため、製造コストの高騰を招くという問題がある。また、このように調整された光学式ピックアップを使用しても光ディスク装置へ組み込まれた場合においては、取付位置のズレやフォーカス制御動作に伴うスポット形状の変化によりトラックに対するスポット形状との関係を一定にすることは困難である。
【０００８】
このように光ディスク上のトラックとレーザー光のスポット形状との関係が一定でないため、前もって設定されているイコライザ特性では、ＲＦ信号の正確な抽出動作を行うことが出来ないという問題がある。
【０００９】
本発明は、斯かる問題を解決することが出来る再生制御方法を提供しようとするものである。
【課題を解決するための手段】
【００１０】
本発明は、光学式ピックアップに組み込まれているレーザーダイオードから照射されるレーザー光にて長さの異なる複数のピットにより信号が記録されている光ディスクから信号を再生するように構成された光ディスク装置において、光ディスクに記録されている長さの異なるピットを再生して得られるＲＦ信号のレベルを比較することによってレーザー光の信号トラックに対するスポット形状を検出し、検出されたスポット形状に基いてＲＦ信号のイコライザ特性を設定するように構成されている。
【００１１】
また、本発明は、レベル比較動作を光ディスクに記録されている最短ピットと最長ピットを再生して得られるＲＦ信号にて行うように構成されている。
【００１２】
そして、本発明は、ＲＦ信号のレベルを比較して得られる比較値に対応したイコライザ特性設定データが複数記憶されたイコライザ特性データメモリー回路を設け、該イコライザ特性データメモリー回路に記憶されているイコライザ特性設定データを比較値に基いて選択することによりイコライザ特性を設定するように構成されている。
【００１３】
また、本発明は、レベル比較動作を行うＲＦ信号をイコライザ回路の入力側より抽出するように構成されている。
【発明の効果】
【００１４】
本発明は、光ディスクに記録されている長さの異なるピットを再生して得られるＲＦ信号のレベルを比較することによってレーザー光の信号トラックに対するスポット形状を検出し、検出されたスポット形状に基いてＲＦ信号のイコライザ特性を設定するようにしたので、光ディスクに記録されている信号の再生動作を正確に行うことが出来る。
【００１５】
また、本発明は、レベル比較動作を光ディスクに記録されている最短ピットと最長ピットを再生して得られるＲＦ信号にて行うようにしたので、即ち、比較するレベル差が最も大きくなるピットより得られるＲＦ信号のレベルを比較するようにしたので、スポット形状の検出動作を正確に行うことが出来る。
【００１６】
そして、本発明は、ＲＦ信号のレベルを比較して得られる比較値に対応したイコライザ特性設定データが複数記憶されたイコライザ特性データメモリー回路を設け、該イコライザ特性データメモリー回路に記憶されているイコライザ特性設定データを比較値に基いて選択することによりイコライザ特性を設定するようにしたので、光ディスクに記録されている信号の再生動作を正確に行うことが出来る。
【００１７】
また、本発明は、レベル比較動作を行うＲＦ信号をイコライザ回路の入力側より抽出するようにしたので、即ちイコライザ回路による影響を受けないＲＦ信号を利用して行うようにしたので、ＲＦ信号のレベル検出動作を同一の条件にて行うことが出来、それ故スポット形状の検出動作を正確に行うことが出来る。
【発明を実施するための最良の形態】
【００１８】
本発明は、光ディスクに長さの異なるピットにて記録されている信号を再生することによって得られるＲＦ信号のレベルを比較することによってレーザー光のスポット形状を検出するようにされている。
【実施例】
【００１９】
図１は本発明に係る光ディスク装置の一実施例を示すブロック回路図、図２は本発明に係る光ディスクの信号トラックとレーザー光のスポットとの関係を示す説明図である。
【００２０】
図１において、１はスピンドルモーター(図示せず)によって回転駆動される光ディスクであり、例えば線速度一定になるように回転制御されるように構成されている。２はレーザー光を照射するレーザーダイオード３が組み込まれている光学式ピックアップであり、レーザーダイオード３から照射されるレーザー光を光ディスク１の記録層に合焦させる対物レンズ４、光ディスク１から反射されるレーザー光を受光し電気信号に変換するとともに４分割センサー等にて構成される光検出器５、対物レンズ４を光ディスク１の径方向に変位させるトラッキングコイル６、対物レンズ４を光ディスク１の信号面に対して垂直方向に変位させるフォーカシングコイル７が組み込まれている。
【００２１】
斯かる構成において、光学式ピックアップ２の本体は、ピックアップ送り用モーター(図示せず)によって光ディスク１の径方向に変位せしめられるように構成されている。斯かる駆動機構は周知の機構を利用すればよいので、その説明は省略する。
【００２２】
８は前記光検出器５から得られる電気信号が光信号として入力される光出力信号処理回路であり、レーザー光の信号トラックに対するズレを示すトラッキングエラー信号、レーザー光の記録層に対するフォーカスズレを示すフォーカスエラー信号及び光ディスク１に記録されている信号の読み出し信号であるＲＦ信号を生成して出力するように構成されている。斯かる光出力信号処理回路８による各種の信号生成動作は周知の回路にて行われるので、その説明は省略する。
【００２３】
９は前記光出力信号処理回路８によって生成されて出力されるトラッキングエラー信号が入力されるトラッキングサーボ回路であり、入力されるトラッキングエラー信号に基くトラッキングコイル駆動信号を前記トラッキングコイル６に供給することによってトラッキング制御動作を行うように構成されている。１０は前記光出力信号処理回路８によって生成されて出力されるフォーカスエラー信号が入力されるフォーカスサーボ回路であり、入力されるフォーカスエラー信号に基くフォーカシングコイル駆動信号を前記フォーカシングコイル７に供給することによってフォーカス制御動作を行うように構成されている。
【００２４】
前記フォーカスサーボ回路１０からフォーカシングコイル７に供給されるフォーカシングコイル駆動信号は、対物レンズ４を光ディスク１の記録層に合焦させる位置である動作位置に変位させる直流電圧と光ディスク１の面振動に伴うフォーカスズレを補正するために対物レンズ４を高速で変位させる高周波信号とより構成されているが、斯かる信号は周知であるので説明は省略する。
【００２５】
１１は前記光出力信号処理回路８から出力されるＲＦ信号が入力されるとともに該信号を増幅するＲＦ信号増幅回路、１２は前記ＲＦ信号増幅回路１１から出力されるＲＦ信号が入力されるイコライザ回路であり、所望の再生信号の抽出動作を正確に行うことが出来るように入力されるＲＦ信号の周波数補正を行う作用を成すものである。
【００２６】
１３は前記イコライザ回路１２より出力されるＲＦ信号が入力されるとともに入力される信号を２値化する２値化回路、１４は前記２値化回路１３によって２値化された再生信号が入力されるとともにデジタル信号処理を行うデジタル信号処理回路であり、光ディスク１に記録されている同期信号、位置情報データ及びデータ信号等の各種の信号を復調するように構成されている。
【００２７】
１５は光ディスク装置の各動作を制御するシステム制御回路であり、前記デジタル信号処理回路１４より生成される同期信号を利用してスピンドルモーターによる光ディスク１の回転制御動作及び再生信号の処理動作、そして外部に設けられているパーソナルコンピューター等のホスト機器との信号の送受信動作を制御するように構成されている。斯かるシステム制御回路１５は、マイクロコンピューターにて構成されており、内部に設けられ
ているフラッシユＲＯＭ等に記憶されているプログラムソフトに基いて各種の制御動作を行うように構成されている。
【００２８】
１６は前記ＲＦ信号増幅回路１１から出力されるＲＦ信号が入力されるとともに該信号のレベルを検出するＲＦ信号レベル検出回路であり、光ディスク１に記録されている最短ピット、例えば３Ｔの信号及び最長ピット、例えば１４Ｔの信号より得られるＲＦ信号のレベルを検出するように構成されている。斯かるＲＦ信号レベル検出回路１６によるレベル検出動作は、デジタル信号処理回路１４によって得られる信号から３Ｔの信号及び１４Ｔの信号が認識されたとき、前記システム制御回路１５から出力されるレベル検出動作制御信号に基づいて行われる。
【００２９】
１７は前記システム制御回路１５によって動作が制御される第１レベルメモリー回路であり、前記ＲＦ信号レベル検出回路１６によって検出される３Ｔに対応したＲＦ信号のレベルＬ１が記憶されるように構成されている。１８は前記システム制御回路１５によって動作が制御される第２レベルメモリー回路であり、前記ＲＦ信号レベル検出回路１６によって検出される１４Ｔに対応したＲＦ信号のレベルＬ２が記憶されるように構成されている。
【００３０】
前記システム制御回路１５は、前記第１レベルメモリー回路１７及び第２レベルメモリー回路１８にＲＦ信号のレベルＬ１及びＬ２が記憶されると、その比率ＲをＬ２／Ｌ１から演算するように構成されている。
【００３１】
１９は前記システム制御回路１５によって動作が制御されるレーザー駆動回路であり、再生動作時再生動作を行うために適した出力のレーザー光がレーザーダイオード３から照射される駆動電流を供給するように構成されている。
【００３２】
２０は前記システム制御回路１５によって動作が制御されるイコライザ特性設定回路であり、ＲＦ信号の周波数補正動作を行うイコライザ回路１２の周波数特性を変更設定する作用を成すものである。２１は前記システム制御回路１５内に組み込まれているイコライザ特性データメモリー回路であり、前記ＲＦ信号レベル検出回路１６によって検出された３Ｔ及び１４Ｔのピットに対応したレベルＬ１及びＬ２に基いて演算される比率Ｒの値に応じた周波数補正動作を行うためのイコライザ特性データがテーブルデータとして記憶されている。
【００３３】
前記イコライザ特性設定回路２０によるイコライザ回路１２に対する周波数特性設定動作は、前記イコライザ特性データメモリー回路２１より得られるテーブルデータに基いて行われる。
【００３４】
以上に説明したように本発明に係る光ディスク装置は構成されているが、次に動作について説明する。光ディスク１に記録されている信号の再生動作を行う場合には、スピンドルモーターの回転制御動作が行われ、光ディスク１は所定の線速度にて回転駆動されることになる。斯かる線速度を一定にするための制御動作は、光ディスク１から読み出される同期信号とシステム制御回路１５により制御されるべく接続されている同期信号生成回路(図示せず)から生成される同期信号とを同期させることによって行われるが、斯かる動作は周知であるのでその説明は省略する。
【００３５】
光ディスク１に記録されている信号を再生するためにレーザーダイオード３に供給される駆動信号は、再生動作を行うために必要なレーザー出力が得られる値になるように設定されている。レーザーダイオード３から照射されるレーザー光は、対物レンズ４によって集光されて光ディスク１の信号面に合焦されることになるが、斯かる合焦動作は、フォー
カスサーボ回路１０によるサーボ動作によって行われる。
【００３６】
前記フォーカスサーボ回路１０によるフォーカス制御動作は、光ディスク１の信号面から反射されるレーザー光が照射される光検出器５より得られる信号を利用して行われる。前記光検出器５より得られる信号は、光出力信号処理回路８に入力され、その信号に基いてフォーカスエラー信号が生成され、そのフォーカスエラー信号はフォーカスサーボ回路１０に入力される。斯かるフォーカスエラー信号がフォーカスサーボ回路１０に入力されると、該フォーカスサーボ回路１０からフォーカシングコイル７に対してフォーカスエラー信号のレベルを小さくする方向に対物レンズ４を変位させる駆動信号が供給される。斯かる駆動信号がフォーカシングコイル７に供給される結果、レーザー光を光ディスク１の信号面に合焦させる動作、即ちフォーカス制御動作を行うことが出来る。
【００３７】
前述したようにフォーカス制御動作は行われるが、トラッキング制御動作も同様に行うことが出来る。即ち、レーザーダイオード３から照射されるレーザー光のスポットが光ディスク１上の信号トラックより外れると、その外れの大きさに対応したレベルのトラッキングエラー信号が光出力信号処理回路８から出力される。斯かるトラッキングエラー信号がトラッキングサーボ回路９に入力されると、該トラッキングサーボ回路９からトラッキングコイル６に対してトラッキングエラー信号のレベルを小さくする方向に対物レンズ４を変位させる駆動信号が供給される。斯かる駆動信号がトラッキングコイル６に供給される結果、レーザー光を光ディスク１の信号面に設けられている信号トラックに追従させる動作、即ちトラッキング制御動作を行うことが出来る。
【００３８】
前述したフォーカス制御動作及びトラッキング制御動作が行われる結果、光ディスク１の信号トラック上に記録されている信号の読み取り動作を行うことが出来る。光ディスク１の信号トラックには、長さの異なる複数のピットにより信号が記録されており、斯かるピットの長さに応じたＲＦ信号が光出力信号処理回路８にて生成されてＲＦ信号増幅回路１１に対して出力される。
【００３９】
前記ＲＦ信号増幅回路１１に入力されたＲＦ信号は、増幅された後イコライザ回路１２に入力される。前記イコライザ回路１２にＲＦ信号が入力されると、該ＲＦ信号は該イコライザ回路１２によって周波数補正された後２値化回路１３に入力される。その結果、ＲＦ信号は、前記２値化回路１３によって２値化されることになる。
【００４０】
前記２値化回路１３によって２値化された信号は、デジタル信号処理回路１４に入力され、該デジタル信号処理回路１４によって復調動作が行われる。前記デジタル信号処理回路１４によって復調されたデータ信号は、システム制御回路１５を介してパーソナルコンピューター等へ出力されることになる。
【００４１】
以上に説明したように本実施例における再生動作は行われるが、次に本発明に係るレーザー光のスポット形状の認識動作について説明する。
【００４２】
図２は、光ディスク１の信号トラックに形成されているピットＰとレーザー光のスポットＳとの関係を示すものである。レーザー光のスポットＳの形状は、一般に楕円であり、図２(Ａ)は、スポットＳの形状が楕円であり、トラックの方向に対して長径方向が一致している場合、図２(Ｂ)は、スポットＳの形状が楕円であり、トラック方向に対して長径方向が４５度程度傾いた状態にある場合、図２(Ｃ)は、スポットＳの形状が楕円であり、トラック方向に対して長径方向が直角にある場合である。
【００４３】
光ディスク１に形成されているピットＰを再生するために作用するレーザー光のスポットＳは、図２において、ピットＰと重なっている部分であり、各状態より明らかなように
ピットＰの長さ方向、即ちタンジェンシャル方向の長さである有効長Ｌが相違することになる。
【００４４】
本発明は、スポットＳの形状の相違に起因する有効長Ｌの相違による再生特性の悪化を改善するものである。即ち、有効長Ｌの変化に応じてイコライザ回路１２による周波数補正特性を変更するようにしたものである。
【００４５】
次に有効長Ｌを相違させる原因となるスポットＳの形状を検出する動作について説明する。光ディスク１にピット形成により記録されている信号を再生する動作を行うと、前述したように光出力信号処理回路８からＲＦ信号が出力される。
【００４６】
前記光出力信号処理回路８から出力されるＲＦ信号は、ＲＦ信号増幅回路１１に入力されて増幅された後イコライザ回路１２に入力されるとともにＲＦ信号レベル検出回路１６に入力される。斯かる状態にあるとき前記ＲＦ信号レベル検出回路１６は入力されるＲＦ信号のレベルを検出する動作を行う状態にある。また、イコライザ回路１２に入力されたＲＦ信号は、周波数補正された後２値化回路１３に入力されて２値化されることになるが、斯かる場合におけるイコライザ回路１２の周波数補正特性は、基準となる補正特性、即ちイコライザ特性設定回路２０による補正特性範囲の中間の特性になるように設定されている。
【００４７】
斯かる状態において、ＲＦ信号レベル検出回路１６によるレベル検出動作及び２値化回路１３から出力される信号に対するデジタル信号処理回路１４によるデジタル信号処理動作が行われるので、該デジタル信号処理回路１４による３Ｔ信号及び１４Ｔ信号の検出動作が行われる。
【００４８】
前記デジタル信号処理回路１４によって３Ｔ信号が検出されると、システム制御回路１５による制御動作が行われ、そのときＲＦ信号レベル検出回路１６にて検出されたＲＦ信号のレベルＬ１を第１レベルメモリー回路１７に記憶させる動作が行われる。同様に１４Ｔ信号が検出されると、システム制御回路１５による制御動作が行われ、そのときＲＦ信号レベル検出回路１６にて検出されたＲＦ信号のレベルＬ２を第２レベルメモリー回路１８に記憶させる動作が行われる。
【００４９】
前記第１レベルメモリー回路１７へのレベルＬ１の記憶動作及び第２レベルメモリー回路１８へのレベルＬ２の記憶動作が行われると、システム制御回路１５による演算処理動作によってＲＦ信号のレベル比ＲがＬ２／Ｌ１にて求められる。
【００５０】
光出力信号処理回路８から出力されるＲＦ信号のレベルは、最短ピット長である３Ｔ信号から得られるレベルＬ１が最も小さく、最長ピット長である１４Ｔから得られるレベルＬ２が最も大きくなる。また、ＲＦ信号のレベルは、スポットＳのピットＰに対する有効長Ｌに対応して変化することになる。即ち、有効長Ｌの長さが短くなるほど大きな反射光の変化を得ることが出来るので、ＲＦ信号のレベルは大きくなる。
【００５１】
一方、ピットＰの長さに対するスポットＳの有効長Ｌの比率は、有効長Ｌの大きさに応じて変化するが、ピットの長さは、光ディスク１の記録規格によって規定されているので、３Ｔ及び１４Ｔの長さは一定となる。その結果、３Ｔ及び１４Ｔのピットから得られるＲＦ信号のレベルは、スポットＳの有効長Ｌによって変化することになるとともにその変化率も相違することになる。
【００５２】
スポットＳの有効長Ｌの長さがＬＡの場合におけるＬ１の値をＬＡ１、Ｌ２の値をＬＡ２とすると、比率ＲＡはＬＡ２／ＬＡ１となり、スポットＳの有効長Ｌの長さがＬＢの場
合におけるＬ１の値をＬＢ１、Ｌ２の値をＬＢ２とすると、比率ＲＢはＬＢ２／ＬＢ１ととなる。そして、このようにして得られる比率ＲＡ及びＲＢは、スポットＳの有効長Ｌの相違に伴って相違することになる。
【００５３】
ピットの長さが一定で３Ｔ及び１４Ｔから得られるＲＦ信号のレベルの比が求められると、ピットに対するレーザー光のスポットＳの有効長Ｌを検出することが出来る。また、光学式ピックアップ２におけるレーザー光のスポットＳの形状は、光学式ピックアップ２の製造時に決定されているので、前記有効長Ｌを検出することによってレーザー光の信号トラックに対するスポットＳの形状を検出することが出来る。
【００５４】
このようにして信号トラックに対するスポットＳの形状を検出することが出来るので、有効長Ｌを認識することが出来ることになる。従って、光ディスク装置の製造時に各有効長Ｌのスポットにより再生されるＲＦ信号を２値化するために最適なイコライザ特性になるようにイコライザ回路１２の周波数補正特性を設定するためのイコライザ特性データをイコライザ特性データメモリー回路２１にテーブルデータとして記憶させておき、そのデータを選択して使用することによってイコライザ回路１２のイコライザ補正特性を光ディスク１から信号を再生するために最適な特性に設定することが出来る。
【００５５】
尚、本実施例では、光ディスク１に記録されている最短ピットと最長ピットを再生して得られるＲＦ信号のレベルを検出するようにしたが、その他のピットを利用することは勿論可能である。また、イコライザ回路１２の周波数補正動作は、ハイパスフィルタやバンドパスフィルタによって行うことが可能であり、そのフィルター特性変更設定動作もデジタル的に行うことが出来る。
【図面の簡単な説明】
【００５６】
【図１】本発明に係る光ディスク装置の一実施例を示すブロック回路図である。
【図２】光ディスクの信号トラックに形成されているピットとレーザー光のスポットとの関係を示す説明図である。
【符号の説明】
【００５７】
１        光ディスク
２        光学式ピックアップ
３        レーザーダイオード
５        光検出器
８        光出力信号処理回路
１１        ＲＦ信号増幅回路
１２        イコライザ回路
１３        ２値化回路
１４        デジタル信号処理回路
１５        システム制御回路
１６        ＲＦ信号レベル検出回路
１７        第１レベルメモリー回路
１８        第２レベルメモリー回路
２０        イコライザ特性設定回路
２１        イコライザ特性データメモリー回路
【図１】
2006099861.tif 000003
【図２】
2006099861.tif 000004